(57)【特許請求の範囲】
【請求項１】
表面側に突出する第１突部及び裏面側に突出する第２突部を有する第１結合部材と、
前記第１突部及び前記第２突部がそれぞれ嵌入可能な単一の嵌入孔を有する第２結合部材と
を備え、
前記第２結合部材は、表面から裏面に亘って貫通した貫通孔を有し、該貫通孔の少なくとも一部が前記嵌入孔を構成しており、
前記嵌入孔は、前記第２結合部材の表面側及び裏面側のいずれからでも前記第１突部及び前記第２突部を嵌入可能に構成されている
ことを特徴とするスナップファスナー。
【請求項２】
前記第１結合部材及び前記第２結合部材は、金属板材により形成されている
ことを特徴とする請求項１に記載のスナップファスナー。
【発明の詳細な説明】
【技術分野】
【０００１】
本発明は、衣服等の物品に取り付けられるスナップファスナーに関するものである。
【背景技術】
【０００２】
従来から、前開きの衣服の合わせ目部分等を留めるために、雄型スナップ及び雌型スナップからなるスナップファスナーが広く用いられている。また近年、例えばレインコート等のリバーシブルな衣服に対応可能なスナップファスナーが知られている（特許文献１）。この特許文献１のスナップファスナー１００は、図６に示すように、衣服の合わせ目部分の一方１３２に取り付けられる第１嵌合部材１１０と、衣服の合わせ目部分の他方１３４に取り付けられる第２嵌合部材１２０とからなり、これら第１嵌合部材１１０及び第２嵌合部材１２０の双方が、雄型嵌合部１１２、１２２及び雌型嵌合部１１４、１２４を備えるものである。このような特許文献１のスナップファスナー１００によれば、例えばリバーシブルな衣服を表向きに着用する場合には、第１嵌合部材１１０の雄型嵌合部１１２を第２嵌合部材１２０の雌型嵌合部１２４に嵌入させることにより衣服の合わせ目部分１３２、１３４を留めることができ、また、衣服を裏返して着用する場合には、第２嵌合部材１２０の雄型嵌合部１２２を第１嵌合部材１１０の雌型嵌合部１１４に嵌入させることにより衣服の合わせ目部分１３２、１３４を留めることができる。
【先行技術文献】
【特許文献】
【０００３】
【特許文献１】実用新案登録第２５９７０６１号公報
【発明の概要】
【発明が解決しようとする課題】
【０００４】
しかしながら、特許文献１のスナップファスナー１００では、例えば第１嵌合部材１１０の雄型嵌合部１１２を第２嵌合部材１２０の雌型嵌合部１２４に嵌入させた場合には、衣服の合わせ目部分の一方１３２の表面側に突出する第１嵌合部材１１０の雌型嵌合部１１４の厚みＴ１と、第１嵌合部材１１０の雄型嵌合部１１２及び第２嵌合部材１２０の雌型嵌合部１２４が係合した部分の厚み（衣服の合わせ目部分の一方１３２の裏面及び他方１３４の表面の間の厚み）Ｔ２と、衣服の合わせ目部分の他方１３４の裏面側に突出する第２嵌合部材１２０の雄型嵌合部１２２の厚みＴ３と、衣服の合わせ目部分１３２、１３４自体の厚みＴ４、Ｔ５とが生じるため、厚みが非常に厚いという問題がある。また、このような厚みの問題は、第２嵌合部材１２０の雄型嵌合部１２２を第１嵌合部材１１０の雌型嵌合部１１４に嵌入させた場合も同様に生じるものである。
【０００５】
そこで、本発明は、リバーシブルな衣服や男女兼用の衣服等に用いることができる厚みの薄いスナップファスナーを提供することを目的とする。
【課題を解決するための手段】
【０００６】
上記の目的を達成するため、本発明に係るスナップファスナーは、表面側に突出する第１突部及び裏面側に突出する第２突部を有する第１結合部材と、前記第１突部及び前記第２突部がそれぞれ嵌入可能な嵌入孔を有する第２結合部材とを備えたことを特徴とする。
【０００７】
本発明に係るスナップファスナーにおいて、前記第２結合部材は、表面から裏面に亘って貫通した貫通孔を有し、該貫通孔の少なくとも一部が前記嵌入孔を構成しており、前記第１突部及び前記第２突部は、それぞれ、前記第２結合部材の表面及び裏面のいずれか一方側から前記嵌入孔に嵌入された際に、前記第２結合部材の表面及び裏面のいずれか他方側に突出しない高さを有していることが好ましい。
【発明の効果】
【０００８】
本発明によれば、リバーシブルな衣服や男女兼用の衣服等に用いることができる厚みの薄いスナップファスナーを提供することができる。
【図面の簡単な説明】
【０００９】
【図１】図１（ａ）は、本発明の一実施形態に係るスナップファスナーの第１結合部材の概略構成を示す断面図であり、図１（ｂ）は、本実施形態に係るスナップファスナーの第２結合部材の概略構成を示す断面図である。
【図２】図２（ａ）は、第１結合部材を第２結合部材の裏面側から嵌入させる過程を示す断面図であり、図２（ｂ）は、第１結合部材及び第２結合部材を係合させた第１の状態を示す断面図である。
【図３】図３（ａ）は、第１結合部材を第２結合部材の表面側から嵌入させる過程を示す断面図であり、図３（ｂ）は、第１結合部材及び第２結合部材を係合させた第２の状態を示す断面図である。
【図４】他の実施形態に係る第１結合部材の概略構成を示す断面図である。
【図５】更に他の実施形態に係る第１結合部材の概略構成を示す断面図である。
【図６】従来のリバーシブルスナップファスナーの概略構成を示す断面図である。
【発明を実施するための形態】
【００１０】
次に、本発明の一実施形態に係るスナップファスナーについて、図面に基づいて説明する。本実施形態に係るスナップファスナー（点ファスナー）は、表面側（図１（ａ）中、上方側）に突出する第１突部２２ｂ及び裏面側（図１（ａ）中、下方側）に突出する第２突部３０ｃを有する第１結合部材１０と、第１突部２２ｂ及び第２突部３０ｃがそれぞれ嵌入可能な嵌入孔４２を有する第２結合部材４０とを備えており、これら第１結合部材１０及び第２結合部材４０によって、一物品における異なる２つの部位や異なる２つの物品等を結合するように構成されている。以下、本実施形態においては、衣服の右前身ごろの合わせ目縁部２（以下、「右側合わせ目縁部２」という）に、右側合わせ目縁部２の表面に第１突出部２２ｂが突出し、裏面側に第２突出部３０ｃが突出するように第１結合部材１０が取り付けられると共に、衣服の左前身ごろの合わせ目縁部４（以下、「左側合わせ目縁部４」という）に第２結合部材４０が取り付けられ、これら第１結合部材１０及び第２結合部材４０の締結によって前開きの衣服の合わせ目部分２、４を結合させる態様を例に挙げて説明するが、この態様に限定されるものではない。
【００１１】
第１結合部材１０は、図１（ａ）に示すように、右側合わせ目縁部２の表面側に設けられた表面側雄型嵌合部材２０と、右側合わせ目縁部２の裏面側に設けられた裏面側雄型嵌合部材３０とから構成されており、これら表面側雄型嵌合部材２０及び裏面側雄型嵌合部材３０が右側合わせ目縁部２の所望の位置に形成された貫通孔３を介して連結された状態で衣服の生地を狭持することにより取り付けられている。この右側合わせ目縁部２の貫通孔３は、第１結合部材１０を取り付けるための孔であり、表面側雄型嵌合部材２０及び裏面側雄型嵌合部材３０が離脱不能な形状及び大きさであれば良く、使用する第１結合部材１０の形状等に応じて適宜決定することができる。
【００１２】
表面側雄型嵌合部材２０は、上方に突出する第１突出部２２ｂを有する突出部材２２と、下方に突出するカシメ用の脚部２４ｂを有する脚部材２４とから構成されている。
【００１３】
突出部材２２は、上面及び周面からなる有上面円筒状に形成された第１突出部２２ｂと、その底面開口から、全周に亘って径方向外側に突出するフランジ２２ａとから形成されている。第１突部２２ｂの周面の上端部２３ａは、周方向全域に亘って径方向外側に突出し断面Ｒ状を形成しており、これにより、第１突部２２ｂの周面には、第２結合部材４０の後述する係止部材４４と機械的に係合するためのアンダーカット部２３ｂが形成されている。この第１突部２２ｂの上端部２３ａは、第２結合部材４０の後述する嵌入孔４２に挿入された際に、係止部材４４を押し広げながら係止部材４４を通過することが可能な径を有している。第１突部２２ｂのアンダーカット部２３ｂは、上端部２３ａよりも小径に形成されており、上端部２３ａが通過した係止部材４４が復元することにより、係止部材４４と機械的に係合することが可能な径を有している。具体的には、例えば、係止部材（リングばね）４４の通常時の内径が５．９ｍｍであり、弾性変形によりその内径が少なくとも６．２ｍｍまで変化可能であるとした場合には、第１突部２２ｂの上端部２３ａの外径を６．２ｍｍとし、第１突部２２ｂのアンダーカット部２３ｂの外径を５．９ｍｍとすることができる。第１突部２２ｂは、第２結合部材４０の後述する嵌入孔４２に嵌入された際に、その上面が第２結合部材４０の表面から突出しない程度の高さを有しており、本実施形態においては、第２結合部材４０の後述する嵌入孔４２に第１突部２２ｂが嵌入された際に、第１突部２２ｂの上面と第２結合部材４０の表面とが面一となるような高さを有している（図２（ｂ）参照）。フランジ２２ａの外周縁は、周方向全域に亘って下方かつ内側に折り曲げられており、脚部材２４の後述するフランジ２４ａの外周縁を狭持するように形成されている。このような突出部材２２は、例えば鉄、ステンレス及び真鍮等の金属等からなる円盤状の金属板材の中央部をプレス加工等によって上方側に隆起させると共に、その外周縁部を周方向全域に亘って下方かつ内側に折り曲げ加工することにより形成することができる。
【００１４】
脚部材２４は、底面及び周面からなる有底円筒状に形成された脚部２４ｂと、その上面開口から、全周に亘って径方向外側に突出するフランジ２４ａとから形成されている。脚部２４ｂは、大径部２５ａと、その上方に位置する小径部２５ｂとからなる逆Ｔ字状の外見を有している。大径部２５ａは、右側合わせ目縁部２の貫通孔３の径よりも大径に形成され、小径部２５ｂは、貫通孔３の径と同一若しくはこれよりも小径に形成されている。また、脚部２４ｂは、その底面が裏面側雄型嵌合部材３０の後述する第２突部３０ｃの下面３２ｃから突出しない程度の長さ（高さ）を有している。このような脚部材２４は、例えば鉄、ステンレス及び真鍮等の金属等からなる金属板材の中央部をプレス加工等によって下方側に隆起させると共に、その隆起部の下端部を例えばカシメ具等によって押し潰して変形させることにより形成することができる。
【００１５】
これら突出部材２２と、脚部材２４とは、突出部材２２のフランジ２２ａの外周縁を下方及び内側に折り曲げ加工して脚部材２４のフランジ２４ａの外周縁を狭持させることにより、組み立てられている。
【００１６】
裏面側雄型嵌合部材３０は、右側合わせ目縁部２の裏面から下方に向けて突出するドーナッツ状の第２突出部３０ｃと、その上端部から、全周に亘って径方向内側及び径方向外側にそれぞれ突出する内側フランジ３０ａ及び外側フランジ３０ｂとから形成されている。第２突出部３０ｃは、環状の下面３２ｃ並びに下面３２ｃの内周縁及び外周縁のそれぞれから上方に向けて立設された円筒状の内周壁３２ａ及び外周壁３２ｂから形成されている。内側フランジ３０ａは、その内周縁によって、表面側雄型嵌合部材２０の変形前の脚部２４ｂが貫通可能で、かつ、変形後の脚部２４ｂの大径部２５ａの脱離を規制可能な径を有する貫通孔３３を規定している。外側フランジ３０ｂの外周縁部は、上方に折り曲げられており、衣服の生地に食い込むように形成されている。第２突出部３０ｃの外周壁３２ｂの下端部３４ａは、周方向全域に亘って径方向外側に突出し断面Ｒ状を形成しており、これにより、外壁３２ｂの周面には、第２結合部材４０の後述する係止部材４４と機械的に係合するためのアンダーカット部３４ｂが形成されている。これら第２突出部３０ｃの外周壁３２ｂの下端部３４ａ及びアンダーカット部３４ｂは、それぞれ、表面側雄型嵌合部材２０の第１突部２２ｂの上端部２３ａ及びアンダーカット部２３ｂと同一の径を有している。また、第２突出部３０ｃは、表面側雄型嵌合部材２０の第１突部２２ｂと同様に、第２結合部材４０の後述する嵌入孔４２に嵌入された際に、その下面３２ｃが第２結合部材４０の裏面から突出しない程度の高さを有している（図３（ｂ）参照）。このような裏面側雄型嵌合部材３０は、例えば鉄、ステンレス及び真鍮等の金属等からなる円盤状の金属板材の中央部を打ち抜き加工等によって除去して孔を形成すると共に、この孔よりも径方向外側の部分をプレス加工等によって下方側にドーナッツ状に隆起させ、さらに、その外周縁部を周方向全域に亘って上方に折り曲げ加工することにより形成することができる。
【００１７】
このように構成された第１結合部材１０は、まず、右側合わせ目縁部２の所望の位置に表面側雄型嵌合部材２０の脚部２４ｂが貫通可能な貫通孔３を形成し、次に、表面側雄型嵌合部材２０の脚部２４ｂを生地の表面側から貫通孔３を介して裏面側雄型嵌合部材３０の貫通孔３３に挿通させた後、脚部２４ｂの下端部を打撃により押し潰してカシメ止めすること（大径部２５ａを形成すること）により、右側合わせ目縁部２に取り付けられている。
【００１８】
第２結合部材４０は、図１（ｂ）に示すように、第１結合部材１０の第１突部２２ｂ及び第２突出部３０ｃがそれぞれ嵌入可能な嵌入孔４２を規定する係止部材４４と、左側合わせ目縁部４の所望の位置に形成された貫通孔５の縁に設けられ、貫通孔５内において係止部材４４を保持する保持部材４５とから構成されている。この左側合わせ目縁部４の貫通孔５は、第２結合部材４０を取り付けるための孔であり、貫通孔５内に第２結合部材４０を取り付けた状態において、第１結合部材１０の第１突部２２ｂ及び第２突出部３０ｃが第２結合部材４０内に挿脱可能な形状及び大きさであれば良く、使用する第１結合部材１０及び第２結合部材４０の形状等に応じて適宜決定することができる。
【００１９】
係止部材４４は、第２結合部材４０を第１結合部材１０の第１突部２２ｂ及び第２突出部３０ｃのいずれか一方に係止させるための部材であり、例えば、線ばねを環状（リング状）に湾曲させたリングばねを用いることができる。この係止部材４４は、通常時において、第１結合部材１０の第１突部２２ｂの上端部２３ａ及び第２突出部３０ｃの下端部３４ａよりも小さい内径を有しているが、第１結合部材１０の第１突部２２ｂの上端部２３ａ及び第２突出部３０ｃの下端部３４ａのいずれかによって内側から押圧されると弾性変形により径方向外側に広がり、この第１結合部材１０の第１突部２２ｂの上端部２３ａ又は第２突出部３０ｃの下端部３４ａの通過を許容するように構成されている。また、係止部材４４は、第１突部２２ｂの上端部２３ａ又は第２突出部３０ｃの下端部３４ａが通過した後に径方向内側に復元し、これにより、第１突部２２ｂのアンダーカット部２３ｂ又は第２突出部３０ｃのアンダーカット部３４ｂを径方向内側に付勢した状態で機械的に係合するように構成されている。
【００２０】
保持部材４５は、左側合わせ目縁部４の貫通孔５の縁全域を狭持可能な外周縁部４６と、係止部材４４を保持可能な保持溝４９を規定する内周縁部４８とを有するドーナッツ状の部材であり、貫通孔５内において係止部材４４を保持するように構成されている。内周縁部４８は、第１結合部材１０の第１突部２２ｂの上端部２３ａ及び第２突出部３０ｃの下端部３４ａよりも大きな径を有しており、左側合わせ目縁部４の表面側（図１（ｂ）中、上方側）及び左側合わせ目縁部４の裏面側（図１（ｂ）中、下方側）のいずれからでも第１結合部材１０の第１突部２２ｂ及び第２突出部３０ｃを挿入可能に構成されている。保持溝４９は、左側合わせ目縁部４の貫通孔５の中心に向かって開口する周方向全域に亘って形成された環状の溝であり、通常状態の係止部材４４（すなわち、第１結合部材１０の第１突部２２ｂの上端部２３ａ又は第２突出部３０ｃの下端部３４ａの通過によって径方向外側へ弾性変形していない状態の係止部材４４）を保持溝４９内に設けた際に、係止部材４４の内周面部分が保持溝４９の開口から突出して露出するような形状及び大きさを有している。また、保持溝４９は、第１結合部材１０の第１突部２２ｂ又は第２突出部３０ｃの通過時における係止部材４４の径方向外側への弾性変形を許容する水平方向（図１（ｂ）中、左右方向）の深さを有している。
【００２１】
このような保持部材４５は、例えば鉄、ステンレス及び真鍮等の金属等からなる複数の円盤状の金属板材をプレス加工等により所定の形状に加工し、これらの部材を組み立てることにより形成することができる。具体的には、保持部材４５は、例えば図１（ｂ）に示すように、左側合わせ目縁部４の表面側に設けられる表面側環状板部材５０と、表面側環状板部材５０と共に保持溝４９を規定する保持溝形成部材５２と、左側合わせ目縁部４の裏面側に設けられる裏面側環状板部材５４と、裏面側環状板部材５４と共に左側合わせ目縁部４の貫通孔５の縁全域を狭持する狭持部材５６とを組み立てることにより形成することができる。
【００２２】
表面側環状板部材５０は、環状に形成された金属板材からなり、左側合わせ目縁部４の貫通孔５の径よりも大きい外径と、左側合わせ目縁部４の貫通孔５の径よりも小さく、かつ、第１結合部材１０の第１突部２２ｂの上端部２３ａ及び第２突出部３０ｃの下端部３４ａの径よりも大きな内径とを有している。この表面側環状板部材５０は、その中心が左側合わせ目縁部４の貫通孔５の中心と一致するように左側合わせ目縁部４上に設けられた際に、その内周縁部によって、第１結合部材１０の第１突部２２ｂ及び第２突出部３０ｃが通過可能な表面側の挿入孔を規定するように構成されている。表面側環状板部材５０の外周縁部は、衣服の生地に食い込むように、下方に折り曲げられている。このような表面側環状板部材５０は、円盤状の金属板材の中央部を打ち抜き加工等によって除去して孔を形成すると共に、その外周縁部を周方向全域に亘って下方に折り曲げ加工することにより形成することができる。
【００２３】
保持溝形成部材５２は、上端から下端に向かって内窄み状に湾曲した円筒状の円筒部５２ａと、円筒部５２ａの上端から、全周に亘って径方向外側に水平に突出する上部フランジ５２ｂと、円筒部５２ａの下端から、全周に亘って径方向内側にやや上方に向けて突出する下部フランジ５２ｃとから形成されている。この保持溝形成部材５２は、表面側環状板部材５０、裏面側環状板部材５４及び狭持部材５６と共に左側合わせ目縁部４の貫通孔５内に取り付けられた際に、その下端が左側合わせ目縁部４の裏面から突出しない程度の高さに形成されている。円筒部５２ａは、左側合わせ目縁部４の貫通孔５の径よりも小さい径を有しており、左側合わせ目縁部４の貫通孔５内に挿入可能に構成されている。上部フランジ５２ｂは、左側合わせ目縁部４の貫通孔５の径よりも大きい外径を有しており、円筒部５２ａが左側合わせ目縁部４の貫通孔５内に挿入された状態において、表面側環状板部材５０の裏面と狭持部材５６の上面との間において狭持されるように構成されている。下部フランジ５２ｃは、表面側環状板部材５０の内径と同一の内径、すなわち、第１結合部材１０の第１突部２２ｂの上端部２３ａ及び第２突出部３０ｃの下端部３４ａの径よりも大きな内径を有しており、その内周縁部によって、第１結合部材１０の第１突部２２ｂ及び第２突出部３０ｃが通過可能な裏面側の挿入孔を規定するように構成されている。このように構成された保持溝形成部材５２は、下部フランジ５２ｃの上面が表面側環状板部材５０の下面と対向するように左側合わせ目縁部４の貫通孔５内に設けられており、円筒部５２ａの内面及び下部フランジ５２ｃの上面と、表面側環状板部材５０の下面とによって、係止部材４４を保持可能な保持溝４９を規定するように構成されている。このような保持溝形成部材５２は、円盤状の金属板材の中央部を打ち抜き加工等によって除去して孔を形成すると共に、この孔よりも径方向外側の部分をプレス加工等によって下方側に隆起させることにより形成することができる。
【００２４】
裏面側環状板部材５４は、環状に形成された金属板材からなり、左側合わせ目縁部４の貫通孔５の径よりも大きい外径と、左側合わせ目縁部４の貫通孔５の径と概ね同径の内径とを有している。裏面側環状板部材５４の外周縁部は、衣服の生地に食い込むように、上方に折り曲げられている。このような裏面側環状板部材５４は、円盤状の金属板材の中央部を打ち抜き加工等によって除去して孔を形成すると共に、その外周縁部を周方向全域に亘って上方に折り曲げ加工することにより形成することができる。
【００２５】
狭持部材５６は、円筒状の円筒部５６ａと、円筒部５６ａの上端から、全周に亘って径方向外側に水平に突出する上部フランジ５６ｂと、円筒部５６ａの下端から、全周に亘って径方向外側に水平に突出する下部フランジ５６ｃとから形成されている。円筒部５６ａは、左側合わせ目縁部４の貫通孔５の径と概ね同径の外径を有し、かつ、左側合わせ目縁部４の生地の厚みと同程度の高さを有しており、左側合わせ目縁部４の貫通孔５内に挿入可能に構成されている。上部フランジ５６ｂは、内周縁部近傍が外周縁部近傍よりも高さ方向に低い凹状に形成されており、この凹部上に、保持溝形成部材５２の上部フランジ５２ｂを載置させるように構成されている。このように構成された狭持部材５６は、上部フランジ５６ｂ及び下部フランジ５６ｃによって左側合わせ目縁部４の生地及び裏面側環状板部材５４の内周縁部を狭持した状態で左側合わせ目縁部４の貫通孔５内に設けられ、上部フランジ５６ｂの下面と、裏面側環状板部材５４の上面とによって、左側合わせ目縁部４の貫通孔５の縁全域を狭持するように構成されている。また、狭持部材５６は、上部フランジ５２ｂの凹部の上面と、表面側環状板部材５０の下面とによって、保持溝形成部材５２の上部フランジ５２ｂを狭持するように構成されている。このような狭持部材５６は、円盤状の金属板材の中央部をプレス加工等によって円筒状となるように下方側に隆起させると共に、この円筒状部分の下端を折り曲げ加工等によって径方向外側に屈曲させる（カシメ止めさせる）ことにより形成することができる。
【００２６】
このように構成された第２結合部材４０は、まず、左側合わせ目縁部４の所望の位置に貫通孔５を形成し、次に、狭持部材５６の円筒部５６ａを生地の表面側から貫通孔５を介して裏面側環状板部材５４の内周縁部内に挿通させた後、狭持部材５６の円筒部５６ａの下端を径方向外側に屈曲させてカシメ止めすることにより、裏面側環状板部材５４及び狭持部材５６を貫通孔５の縁に取り付け、また、これと同時に又はこれと前後して、狭持部材５６の上部フランジ５６ｂ上に保持溝形成部材５２の上部フランジ５２ｂを載置させると共に、保持溝形成部材５２の下部フランジ５２ｃ上に係止部材４４を載置させた後、左側合わせ目縁部４の表面側から表面側環状板部材５０を被せて表面側環状板部材５０及び保持溝形成部材５２間において係止部材４４を保持させることにより、左側合わせ目縁部４に取り付けられている。
【００２７】
本実施形態に係るスナップファスナーは、表面側に突出する第１突部２２ｂ及び裏面側に突出する第２突部３０ｃを有する第１結合部材１０と、第１突部２２ｂ及び第２突部３０ｃがそれぞれ嵌入可能な嵌入孔４２を有する第２結合部材４０とを備えていることにより、リバーシブルな衣服や、男女兼用の衣服等に用いることができる。すなわち、本実施形態に係るスナップファスナーは、例えば図２（ａ）及び図２（ｂ）に示すように、左側合わせ目縁部４の裏面側から第２結合部材４０の嵌入孔４２に第１結合部材１０の第１突部２２ｂを嵌入させた場合には、右側合わせ目縁部２の上（表面側）に左側合わせ目縁部４を合わせた状態で、前開きの衣服の合わせ目部分２、４を結合することができる。なお、このことは、左側合わせ目縁部４の裏面側から第２結合部材４０の嵌入孔４２に第１結合部材１０の第２突部３０ｃを嵌入させた場合も同様である。一方、本実施形態に係るスナップファスナーは、例えば図３（ａ）及び図３（ｂ）に示すように、左側合わせ目縁部４の表面側から第２結合部材４０の嵌入孔４２に第１結合部材１０の第２突部３０ｃを嵌入させた場合には、左側合わせ目縁部４の上（表面側）に右側合わせ目縁部２を合わせた状態で、前開きの衣服の合わせ目部分２、４を結合することができる。なお、このことは、左側合わせ目縁部４の表面側から第２結合部材４０の嵌入孔４２に第１結合部材１０の第１突部２２ｂを嵌入させた場合も同様である。このように、本実施形態に係るスナップファスナーによれば、衣服を裏返して着用する場合であっても問題無く衣服の合わせ目部分２、４を結合することができるため、リバーシブルな衣服に用いることができ、また、衣服の合わせ目部分２、４のどちらを上（表面側）にするかを適宜選択することができるため、男女兼用の衣服にも用いることができる。
【００２８】
また、本実施形態に係るスナップファスナーは、第１結合部材１０に、互いに反する方向に突出する突出部（第１突部２２ｂ及び第２突部３０ｃ）を設け、第２結合部材４０に嵌入孔４２を設ける構成としたため、その厚みを飛躍的に薄くすることができる。特に、本実施形態に係るスナップファスナーは、第１突部２２ｂ及び第２突部３０ｃが、第２結合部材４０の嵌入孔４２に嵌入された際に第２結合部材４０の表面又は裏面から突出しないように形成されているため、その厚みを最小限に抑えることができる。すなわち、本実施形態に係るスナップファスナーは、図２（ｂ）に示すように、例えば第１結合部材１０の第１突部２２ｂを第２結合部材４０の嵌入孔４２に嵌入させた場合には、第１突部２２ｂ及び嵌入孔４２が係合した部分の厚みＴＡと、右側合わせ目縁部２の生地の厚みＴＢと、右側合わせ目縁部２の裏面側に突出する第２突部３０ｃの厚みＴＣとが生じるのみである。なお、このことは、第１結合部材１０の第２突部３０ｃを第２結合部材４０の嵌入孔４２に嵌入させた場合も同様である（図３（ｂ）参照）。これは、図６に示すような、衣服の合わせ目部分の一方１３２の表面側に突出する第１嵌合部材１１０の雌型嵌合部１１４の厚みＴ１と、第１嵌合部材１１０の雄型嵌合部１１２及び第２嵌合部材１２０の雌型嵌合部１２４が係合した部分の厚み（衣服の合わせ目部分の一方１３２の裏面及び他方１３４の表面の間の厚み）Ｔ２と、衣服の合わせ目部分の他方１３４の裏面側に突出する第２嵌合部材１２０の雄型嵌合部１２２の厚みＴ３と、衣服の合わせ目部分１３２、１３４自体の厚みＴ４、Ｔ５とが生じる従来のスナップファスナー１００と比べ、格段に薄いものである。
【００２９】
本発明に係るスナップファスナーは、上述した実施形態に限定されるものではなく、本発明の技術思想を逸脱しない範囲内において種々の改変を行なうことができる。例えば、本実施形態に係るスナップファスナーにおいて、第１結合部材１０の第１突出部２２ｂは、上面及び周面からなる有上面円筒状に形成されているとしたが、これに限定されるものではなく、種々の形状及び構成を採用することができる。特に、本実施形態における第１結合部材１０の第１突出部２２ｂでは、脚部２４ｂをカシメ具等によって変形させる際に第１突出部２２ｂの上面がへこんでしまうおそれがあるため、例えば図４及び図５に示すような第１突出部を採用することが好ましい。
【００３０】
図４は、他の例に係る第１結合部材６０を示す断面図である。他の例に係る第１結合部材６０の第１突出部６２は、図４に示すように、中央部に凹部６４を有する、右側合わせ目縁部２の表面から上方に向けて突出するドーナッツ状に形成されている。すなわち、第１突出部６２は、環状の上面６２ａ並びに上面の内周縁及び外周縁のそれぞれから下方に向けて立設された円筒状の内周壁６２ｂ及び外周壁６２ｃから形成されており、この内周壁６２ｂによって凹部６４が規定されている。凹部６４は、その中心が、第１結合部材６０の裏面側に突出する脚部２４ｂの中心と一致する位置に形成されており、カシメ具等を受け入れることが可能な径を有している。なお、他の例に係る第１結合部材６０において、突出部材以外の構成については上述した実施形態において説明した構成と同様であるため、その説明を省略する。このように第１突出部６２がドーナッツ状に形成される場合には、カシメ具等を凹部６４内に挿入して脚部２４ｂの変形を行うことが可能となるため、カシメ具等によって第１突出部の上面がへこむおそれがなく、製品不良の発生を抑制することができる。
【００３１】
図５は、更に他の例に係る第１結合部材７０を示す断面図である。更に他の例に係る第１結合部材７０の第１突出部７２は、図５に示すように、上面及び周面からなる有上面円筒状に形成されており、その内部には、例えば樹脂等の充填材７４が充填されている。なお、他の例に係る第１結合部材７０において、突出部材以外の構成については上述した実施形態において説明した構成と同様であるため、その説明を省略する。このように第１突出部７２の内部に充填材７４が充填される場合には、第１突出部７２の強度を向上させることができるため、カシメ具等によって第１突出部７２の上面がへこむおそれを低減することができ、製品不良の発生を抑制することができる。
【００３２】
また、本実施形態に係るスナップファスナーにおいて、第１結合部材１０及び第２結合部材４０を構成する各部材は、それぞれ、金属板材を加工及び組み立てることにより形成されるとしたが、これに限定されず、合成樹脂を含むいかなる材料から形成されても良く、また、一体成形により形成されても良い。
【００３３】
さらに、本実施形態に係るスナップファスナーにおいて、脚部２４ｂは、表面側雄型嵌合部材２０に形成されるとしたが、これに限定されず、裏面側雄型嵌合部材３０に形成されても良い。
【００３４】
またさらに、本実施形態に係るスナップファスナーにおいて、第２結合部材４０は、係止部材４４及び保持部材４５を備えるとしたが、これに限定されず、第２結合部材は、第１結合部材の第１突部及び第２突部がそれぞれ嵌入可能な嵌入孔を有するものであればいかなる態様であっても良く、例えば円筒状の筒部材からなり、第１突部及び第２突部と摩擦係合により結合するものであっても良い。
【符号の説明】
【００３５】
１０  第１結合部材、２２ｂ  第１突部、３０ｃ  第２突部、４０  第２結合部材、４２  嵌入孔
【図１】
0005955096.tif 000002
【図２】
0005955096.tif 000003
【図３】
0005955096.tif 000004
【図４】
0005955096.tif 000005
【図５】
0005955096.tif 000006
【図６】
0005955096.tif 000007